(57)【要約】【課題】瞬低・瞬降時の所望外の光出力を適切に抑制できる、固体発光素子用の点灯装置を提供する。【解決手段】電力及び制御信号を受け取り、前記電力から前記制御信号に応じた量の電流を固体発光素子７０に供給する点灯回路２０と、前記電力の受電開始および受電停止を検出する電源検出回路４０と、点灯回路２０に制御信号を供給することによって、固体発光素子７０を調光信号で示される調光レベルの変化に追従する目的調光レベルに調光する制御回路５５と、を備え、制御回路５５は、定常点灯時、固体発光素子７０を、所定の応答スピードで前記調光レベルの変化に追従する目的調光レベルに調光し、前記電力の受電開始および受電停止のうちの少なくとも一方が検出された後の所定期間、固体発光素子７０を、前記定常点灯時の応答スピードよりも遅い応答スピードで前記調光レベルの変化に追従する目的調光レベルに調光する。【選択図】図１
2014137865.tif 000002
【特許請求の範囲】
【請求項１】
電力及び制御信号を受け取り、前記電力から前記制御信号に応じた量の電流を固体発光素子に供給する点灯回路と、
前記電力の受電開始および受電停止を検出する検出回路と、
前記固体発光素子の調光レベルを示す調光信号を受け取り、前記点灯回路に前記制御信号を供給することによって、前記固体発光素子を前記調光信号で示される調光レベルの変化に追従する目的調光レベルに調光する制御回路と、
を備え、
前記制御回路は、
定常点灯時、前記固体発光素子を、所定の応答スピードで前記調光レベルの変化に追従する目的調光レベルに調光し、
前記電力の受電開始および受電停止のうちの少なくとも一方が検出された後の所定期間、前記固体発光素子を、前記定常点灯時の応答スピードよりも遅い応答スピードで前記調光レベルの変化に追従する目的調光レベルに調光する
点灯装置。
【請求項２】
前記制御回路は、前記固体発光素子を、前記電力の受電開始検出後の第１期間と前記電力の受電停止検出後の第２期間とで、それぞれ異なる応答スピードで前記調光レベルの変化に追従する目的調光レベルに調光する
請求項１に記載の点灯装置。
【請求項３】
前記制御回路は、前記電力の受電開始検出後、前記固体発光素子を、所定の調光レベルから開始して前記調光レベルの変化に追従する目的調光レベルに調光する
請求項１または２に記載の点灯装置。
【請求項４】
前記制御回路は、前記電力の受電停止検出後の前記第２期間において、
前記調光信号で示される前記調光レベルが所定の調光レベル以上である場合のみ、前記固体発光素子を、前記定常点灯時の応答スピードよりも遅い応答スピードで前記調光レベルの変化に追従する目的調光レベルに調光し、
前記調光信号で示される前記調光レベルが前記所定の調光レベル未満である場合、前記固体発光素子を、前記定常点灯時の応答スピードで前記調光レベルの変化に追従する目的調光レベルに調光する
請求項１〜３の何れか１項に記載の点灯装置。
【請求項５】
請求項１〜４の何れか１項に記載の点灯装置と、前記点灯装置にて調光される前記固体発光素子とからなる照明器具。
【請求項６】
請求項５に記載の照明器具と、前記調光信号を前記点灯装置に供給する調光信号発生装置とからなる照明システム。
【発明の詳細な説明】
【技術分野】
【０００１】
本発明は、発光ダイオード及び有機ＥＬ素子等の固体発光素子を点灯させる点灯装置及びそれを用いた照明器具及び照明システムに関し、特に、調光信号に応じた明るさで固体発光素子を点灯させる点灯装置に関する。
【背景技術】
【０００２】
近年、低消費電力で長寿命な照明器具として、発光ダイオード（ＬＥＤ）又は有機ＥＬ素子等の固体発光素子を用いた照明器具が普及してきている。
【０００３】
調光信号発生装置（調光レベルを指示するための機器）と組み合わせて使用することにより、調光信号発生装置からの指示に応じて固体発光素子を調光して点灯する点灯装置が実用化されている。
【０００４】
そのような点灯装置では、一般的に、前記調光信号発生装置からの調光信号で示される調光レベルに応じて固体発光素子に流す電流量を決定し、決定された量の電流をスイッチング回路（降圧チョッパー回路、フライバック回路など）から固体発光素子に流すことで調光動作を行っている。
【０００５】
図９に示すように、一般的な点灯装置８０は、入力フィルタ１２、整流回路１３、点灯回路２０、制御回路５０により構成される。点灯回路２０は、昇圧チョッパー回路２１及び降圧チョッパー回路２２を有している。点灯装置８０は、交流電源１１及び調光信号発生装置６０からそれぞれ電力及び調光信号を受け取り、制御回路５０から点灯回路２０を制御することによって、固体発光素子７０を、前記受け取った電力で、前記調光信号で示される調光レベルに調光する。
【０００６】
調光信号発生装置６０から供給される調光信号は、例えば周波数が１ｋＨｚのＰＷＭ信号であり、ＯＮ  Ｄｕｔｙに応じて、調光対象の全灯（フル点灯）状態での発光量に対する調光状態での発光量の比である調光レベル（調光比とも言う）を表す。
【０００７】
図１０は、調光信号のＯＮ  Ｄｕｔｙが表す調光レベルの一例を表すグラフである。点灯装置８０は、固体発光素子７０が、例えば図１０のカーブで表される調光レベルで発光するように、調光信号のＯＮ  Ｄｕｔｙに応じて、固体発光素子７０に流す電流量を制御する。
【先行技術文献】
【特許文献】
【０００８】
【特許文献１】特開２００９−２３２６２５号公報
【発明の概要】
【発明が解決しようとする課題】
【０００９】
図１１に示されるように、調光信号発生装置６０は、電源がＯＮになると、初期調光信号として全灯状態（１００％の調光レベル）を示す調光信号を所定期間出力し、その後、所望の調光レベルを示す調光信号を出力する。調光信号発生装置６０は、電源がＯＦＦになった後も、調光信号発生装置６０に蓄えられた電力により、調光信号を所定期間継続して出力し、電力がなくなれば調光信号の出力を停止する（電力喪失による途絶）。
【００１０】
そのため、調光信号発生装置６０と組み合わせて用いられる点灯装置８０の光出力は、次のように変化し得る。
【００１１】
図１２に示されるように、最初の電源ＯＮ時に、光出力は、１００％（初期調光信号）、所望の調光レベルの順に変化する。また、瞬停・瞬降（電源ＯＦＦと後の電源ＯＮとで示される、数ミリ秒から数秒間程度の短時間の電源電圧の喪失または低下）時には、光出力は、所望の調光レベル、１００％、所望の調光レベルの順に変化する。瞬停・瞬降時に生じる１００％の調光レベルは、調光信号が途絶する（つまり調光信号のＯＮ  Ｄｕｔｙが０％になる）ことで生じる偽りの調光レベルである。
【００１２】
また、図１３に示されるように、点灯装置８０と調光信号発生装置６０とが同じ電源から電力を受電している場合に、光出力は、所望の調光レベル、１００％、消灯、１００％、所望の調光レベルの順に変化し得る。図１３の動作は、電力喪失により、調光信号発生装置６０が調光信号の出力を停止するだけでなく、点灯装置８０が固体発光素子７０へ電流を供給できなくなって固体発光素子７０が消灯する場合に起きる。
【００１３】
このように、点灯装置８０は、調光信号に応じて調光するため、固体発光素子７０に、所望外の１００％での光出力が生じ得る。
【００１４】
所望外の光出力の対策として、電源がＯＮになった後の所定期間、調光信号をキャンセルして減光もしくは消灯状態とし、当該所定期間の後、調光信号に応じて点灯させる方法（例えば、特許文献１）がある。特許文献１の方法は、電源ＯＮ時における所望外の光出力の対策としては有効であるが、瞬停・瞬降時に調光信号が途絶した場合、固体発光素子７０に、所望外の１００％での光出力が生じてしまう不都合を回避することができない。
【００１５】
そこで、本発明は、瞬低・瞬降時の所望外の光出力を適切に抑制できる、固体発光素子用の点灯装置を提供することを目的とする。
【課題を解決するための手段】
【００１６】
上記目的を達成するために、本発明の一態様に係る点灯装置は、電力及び制御信号を受け取り、前記電力から前記制御信号に応じた量の電流を固体発光素子に供給する点灯回路と、前記電力の受電開始および受電停止を検出する検出回路と、前記固体発光素子の調光レベルを示す調光信号を受け取り、前記点灯回路に前記制御信号を供給することによって、前記固体発光素子を前記調光信号で示される調光レベルの変化に追従する目的調光レベルに調光する制御回路と、を備え、前記制御回路は、定常点灯時、前記固体発光素子を、所定の応答スピードで前記調光レベルの変化に追従する目的調光レベルに調光し、前記電力の受電開始および受電停止のうちの少なくとも一方が検出された後の所定期間、前記固体発光素子を、前記定常点灯時の応答スピードよりも遅い応答スピードで前記調光レベルの変化に追従する目的調光レベルに調光する。
【００１７】
ここで、前記制御回路は、前記固体発光素子を、前記電力の受電開始検出後の第１期間と前記電力の受電停止検出後の第２期間とで、それぞれ異なる応答スピードで前記調光レベルの変化に追従する目的調光レベルに調光してもよい。
【００１８】
また、前記制御回路は、前記電力の受電開始検出後、前記固体発光素子を、所定の調光レベルから開始して前記調光レベルの変化に追従する目的調光レベルに調光してもよい。
【００１９】
また、前記制御回路は、前記電力の受電停止検出後の前記第２期間において、前記調光信号で示される前記調光レベルが所定の調光レベル以上である場合のみ、前記固体発光素子を、前記定常点灯時の応答スピードよりも遅い応答スピードで前記調光レベルの変化に追従する目的調光レベルに調光し、前記調光信号で示される前記調光レベルが前記所定の調光レベル未満である場合、前記固体発光素子を、前記定常点灯時の応答スピードで前記調光レベルの変化に追従する目的調光レベルに調光してもよい。
【００２０】
なお、本発明は、点灯装置として実現できるだけでなく、上記点灯装置を備える照明器具、及び照明システムとして実現することもできる。
【発明の効果】
【００２１】
本発明の点灯装置によれば、電力の受電開始及び電源停止を検出し、目的調光レベルの応答スピードを、前記電力の受電開始及び電源停止のうちの少なくとも一方が検出された後の所定期間において、定常点灯時よりも低下させる。これにより、例えば瞬停・瞬降時など、電力喪失により調光信号が途絶した場合、光出力が直ちに１００％にはならいので、所望外の光出力が低減される。また、定常点灯時の目的調光レベルの応答スピードは、高速（例えば可能な最速）に維持できる。その結果、電源ＯＮ、電源ＯＦＦ時に発生する所望外の光出力を低減でき、かつ定常点灯時に操作感を損なうことがない点灯装置が得られる。
【図面の簡単な説明】
【００２２】
【図１】本発明の実施の形態１における点灯装置の一例を示す回路図
【図２】目的調光レベルの調光レベルへの追従パターンの一例を示す図
【図３】電源ＯＮ検出後及び電源ＯＦＦ検出後の所定期間の一例を示す図
【図４】実施の形態１における点灯装置の動作の一例を示すタイミングチャート
【図５】実施の形態１における点灯装置の動作の一例を示すタイミングチャート
【図６】実施の形態１における点灯装置の動作の一例を示すタイミングチャート
【図７】実施の形態１における点灯装置の動作の一例を示すタイミングチャート
【図８】実施の形態１における点灯装置の動作の一例を示すタイミングチャート
【図９】一般的な点灯装置の一例を示す回路図
【図１０】調光信号で示される調光レベルの一例を示すグラフ
【図１１】一般的な点灯装置の動作の一例を示すタイミングチャート
【図１２】一般的な点灯装置の動作の一例を示すタイミングチャート
【図１３】一般的な点灯装置の動作の一例を示すタイミングチャート
【発明を実施するための形態】
【００２３】
以下、本発明に係る点灯装置及び照明器具について、図面を参照しながら具体的に説明する。なお、以下で説明する実施の形態及び変形例は、いずれも本発明の一具体例を示すものである。以下の実施の形態及び変形例で示される数値、形状、材料、構成要素、構成要素の配置位置及び接続形態、動作タイミングなどは、一例であり、本発明を限定する主旨ではない。また、以下の実施の形態及び変形例における構成要素のうち、最上位概念を示す独立請求項に記載されていない構成要素については、任意の構成要素として説明される。
【００２４】
（実施の形態）
実施の形態に係る点灯装置は、固体発光素子を、調光信号によって示される前記固体発光素子の調光レベルの変化に追従する目的調光レベルに調光する点灯装置であり、例えば図１のように構成される。
【００２５】
点灯装置８５は、固体発光素子７０を、調光信号発生装置６０から供給される調光信号で示される調光レベルに調光する装置であり、入力フィルタ１２、整流回路１３、電源検出回路４０、点灯回路２０、及び制御回路５５で構成される。
【００２６】
点灯回路２０は、例えば、昇圧チョッパー回路２１（Ｑ１、Ｔ１、Ｄ１、Ｒ１、Ｃ１を含む）及び降圧チョッパー回路２２（Ｑ２、Ｔ２、Ｄ２、Ｒ２、Ｃ２を含む）で構成される。降圧チョッパー回路２２は、固体発光素子７０に供給する電流量を制御する。
【００２７】
制御回路５５は、例えば、昇圧制御回路５１、調光信号変換回路５２、降圧制御回路５４、及びマイコン５６（応答スピード調整論理５７を含む）で構成される。
【００２８】
点灯装置８５は交流電源１１で駆動されてもよく、また、交流電源１１、入力フィルタ１２、整流回路１３の代わりに、直流電源１０を用いてもよい。電源電圧が十分に高い場合は、昇圧チョッパー回路２１を省略してもよい。また、降圧チョッパー回路２２の代わりに、昇降圧チョッパー回路や昇圧チョッパー回路やフライバック回路を用いて、固体発光素子７０に供給する電流量を制御してもよい。
【００２９】
昇圧チョッパー回路２１と昇圧制御回路５１とは下記のように動作する。
【００３０】
トランス（Ｔ１）にて、ＭＯＳ−ＦＥＴ（Ｑ１）をＯＮするための検出信号を生成し、また、ＭＯＳ−ＦＥＴ（Ｑ１）がＯＮする期間に流れる電流を抵抗Ｒ１で検出し、ＭＯＳ−ＦＥＴ（Ｑ１）をＯＦＦするための検出信号を生成する。昇圧制御回路５１にて、各検出信号と基準電圧とを比較し、ＭＯＳ−ＦＥＴ（Ｑ１）をＯＮ／ＯＦＦするタイミングを決定する。決定されたタイミングでＭＯＳ−ＦＥＴ（Ｑ１）のゲート信号を生成し、前記ゲート信号でＭＯＳ−ＦＥＴ（Ｑ１）をＯＮ／ＯＦＦさせる。これにより、昇圧チョッパー回路２１の出力電圧が所定値に調整される。
【００３１】
降圧チョッパー回路２２と降圧制御回路５４とは下記のように動作する。
【００３２】
トランス（Ｔ２）にて、ＭＯＳ−ＦＥＴ（Ｑ２）をＯＮするための検出信号を生成し、また、ＭＯＳ−ＦＥＴ（Ｑ２）がＯＮする期間に流れる電流を抵抗Ｒ２で検出し、ＭＯＳ−ＦＥＴ（Ｑ２）をＯＦＦするための検出信号を生成する。降圧制御回路５４にて、各検出信号と基準電圧とを比較し、ＭＯＳ−ＦＥＴ（Ｑ２）をＯＮ／ＯＦＦするタイミングを決定する。決定されたタイミングでＭＯＳ−ＦＥＴ（Ｑ２）のゲート信号を生成し、前記ゲート信号でＭＯＳ−ＦＥＴ（Ｑ２）をＯＮ／ＯＦＦさせる。これにより、固体発光素子７０に供給する電流が所定量に調整される。ここで、ＭＯＳ−ＦＥＴ（Ｑ２）のゲート信号が、点灯回路２０が受け取る制御信号の一例である。
【００３３】
調光信号発生装置６０から供給される調光信号は、ＯＮ  Ｄｕｔｙによって固体発光素子７０の調光レベルを示すＰＷＭ信号である。調光信号変換回路５２は、前記調光信号を電圧信号へ変換する。前記電圧信号は、前記調光信号のＯＮ  Ｄｕｔｙによって示される調光レベルを電圧レベルで表す。調光信号変換回路５２で変換された前記電圧信号は、マイコン５６（例えば、ルネサスエレクトロニクス（株）のＲ８Ｃ／２８，２９グループ）のＡ／Ｄ変換ポートへ印加される。
【００３４】
点灯装置８５における電力の受電開始及び電力の受電停止（以下では簡略に、電源ＯＮ及び電源ＯＦＦとも言う）が次のように検出される。
【００３５】
電源検出回路４０は、整流回路１３の出力電圧を所定値と比較することにより比較結果を表す論理信号を生成し、マイコン５６の汎用ポートへ入力する。もしくは、電源検出回路４０で整流回路１３の出力電圧を平滑することにより検出用電圧を生成し、マイコン５６のＡ／Ｄ変換ポートへ入力する。マイコン５６で前記論理信号又は前記検出用電圧を処理することにより、電源ＯＮ及び電源ＯＦＦが検出される。
【００３６】
マイコン５６は、降圧チョッパー制御信号を生成する。前記降圧チョッパー制御信号は、調光信号で示される調光レベルの変化に追従する目的調光レベルを表す。前記降圧チョッパー制御信号は、調光信号変換回路５２で変換された電圧信号を、応答スピード調整論理５７で定められる応答スピードで遅延させて得られる遅延電圧信号であってもよい。
【００３７】
応答スピード調整論理５７は、定常点灯時、前記電圧信号を所定の応答スピードで遅延させて前記降圧チョッパー制御信号を生成する。応答スピード調整論理５７は、電源ＯＮ及び電源ＯＦＦのうちの少なくとも一方が検出された後の所定期間、前記電圧信号を前記定常点灯時の応答スピードよりも遅い応答スピードで遅延させて前記降圧チョッパー制御信号を生成する。
【００３８】
降圧制御回路５４は、降圧チョッパー制御信号である前記遅延電圧信号を、降圧制御回路５４の動作で説明した基準電圧として用いて、降圧チョッパー回路２２を制御する。これにより、固体発光素子７０は、前記調光信号で示される調光レベルに追従する目的調光レベルに調光される。
【００３９】
前記応答スピード及び前記所定期間は、応答スピード調整論理５７にて、例えば次のように設定される。
【００４０】
図２のように、応答スピード調整論理５７は、目的調光レベルを調光信号で示される調光レベルに追従させるための、例えば３種類の追従パターンを保持している。これらの追従パターンは、例えばテーブルの形式でマイコン５６に保持され、選択的に利用される。
【００４１】
調光レベルを、全範囲の半分量（例えば２％から５０％に）変化させるために、調光信号のＯＮ  Ｄｕｔｙを８０％から２５％に変化させた場合を考える。この場合、目的調光レベルは、図２に示される追従パターンの中から選択される追従パターンで調光レベルの変化に追従し、応答時間ｔ１、ｔ３又はｔ２（ｔ１＜ｔ３＜ｔ２）の経過後に、変化後の調光信号で示される調光レベルである５０％に到達する。
【００４２】
このように、調光レベルの全範囲の半分量の変化に目的調光レベルが追従する応答時間を、応答スピードの目安として用いることができる。例えば、図２の各パターンの応答スピードＳ１、Ｓ３、Ｓ２を、応答時間の逆数１／ｔ１、１／ｔ３、１／ｔ２によって定義してもよい。この場合、図２の各パターンの応答スピードＳ１、Ｓ３、Ｓ２は、Ｓ１＞Ｓ３＞Ｓ２（値が小さいほど遅い）の関係を満たす。
【００４３】
図２の例では、目的調光レベルは指数的に（加速度的に）変化しているが、目的調光レベルは、直線的に（一定速度で）変化してもよく、図１０の調光カーブに沿って変化してもよく、所望の変化をすればよい。目的調光レベルを図１０の調光カーブに沿って変化させた場合、ユーザーが調光ノブを定速で操作した場合の光出力の変化が模擬できる。
【００４４】
マイコン５６は、予め保持しているプログラムを実行することにより、上述した追従パターンを、電源ＯＮ検出時、電源ＯＦＦ検出時、及び電源ＯＮ／ＯＦＦ検出後の所定期間の経過時に切り替える。これにより、定常点灯時、電源ＯＮ検出後の第１期間、電源ＯＦＦ検出後の第２期間の、３種類の期間のそれぞれにおいて、応答スピードＳ１、Ｓ２、Ｓ３の何れかが選択される。
【００４５】
図３（ａ）〜（ｃ）に、瞬低・瞬降時における、電源ＯＮ検出後の第１期間及び電源ＯＦＦ検出後の第２期間の、いくつかの設定例を示す。ここでは、電源ＯＮ検出後の第１期間の規定長ｔ２とし、電源ＯＦＦ検出後の第２期間の規定長をｔ３としている。規定長ｔ２、ｔ３には、前述した応答時間ｔ２、ｔ３を用いてもよい。
【００４６】
（ａ）電源ＯＦＦ検出後の第２期間の途中で電源ＯＮが検出されると、その時点で第２期間は終了する。第２期間は規定長ｔ３よりも短縮される。電源ＯＮ検出後に規定長ｔ２の第１期間が設けられる。
【００４７】
（ｂ）電源ＯＦＦ検出後および電源ＯＮ検出後に、それぞれ、規定長ｔ３の第２期間及び規定長ｔ２の第１期間が設けられる。
【００４８】
（ｃ）電源ＯＦＦ検出後の第２期間の途中で電源ＯＮが検出されても、第２期間を規定長ｔ３まで継続する。電源ＯＮ検出後の第１期間の開始は第２期間の終了まで延期される。第１期間は、電源ＯＮ検出後に第２期間が経過した時間だけ、規定長ｔ２よりも短縮される。
【００４９】
なお、上述した第１期間の開始点、終了点及び規定長ｔ２、並びに第２期間の開始点、終了点及び規定長ｔ３は、一例である。これらは、瞬低・瞬降時などの電力喪失時に調光信号発生装置６０から出力される調光信号の特性に応じて、所望外の光出力を低減できるように設定すればよい。
【００５０】
続いて、上記のように構成される点灯装置８５で実行される、いくつかの動作例について説明する。
【００５１】
（動作例１）
図４のように、例えば、定常点灯時に応答スピードＳ１を選択し、電源ＯＮ検出後の第１期間に応答スピードＳ２を選択し、電源ＯＦＦ検出後の第２期間に応答スピードＳ２を選択する。応答スピードＳ２は、応答スピードＳ１よりも遅い、つまり、Ｓ１＞Ｓ２である。第１期間及び第２期間は、図３の（ａ）に従って示されている。
【００５２】
このような動作によれば、点灯装置８５が電源ＯＦＦ及び電源ＯＮを検出し、目的調光レベルの応答スピードを、電源ＯＦＦ検出後及び電源ＯＮ検出後の所定期間において、定常点灯時よりも低下させる。これにより、例えば瞬停・瞬降時など、電力喪失により調光信号が途絶した場合、光出力が直ちに１００％にはならいので、所望外の光出力が低減される。また、定常点灯時の目的調光レベルの応答スピードは、高速（例えば可能な最速）に維持できる。その結果、電源ＯＮ、電源ＯＦＦ時に発生する所望外の光出力を低減でき、かつ定常点灯時に操作感を損なうことがない点灯装置が得られる。
【００５３】
なお、電源ＯＮ検出後の第１期間及び電源ＯＦＦ時検出後の第２期間の何れか一方のみで、目的調光レベルの応答スピードを低下させてもよく、電力喪失時の調光信号の特性に応じて所望外の光出力が低減されるように、適宜変形が可能である。
【００５４】
（動作例２）
図５のように、例えば、定常点灯時に応答スピードＳ１を選択し、電源ＯＮ検出後の第１期間に応答スピードＳ２を選択し、電源ＯＦＦ検出後の第２期間に応答スピードＳ３を選択する。応答スピードＳ２、Ｓ３は、何れも応答スピードＳ１よりも遅い、つまり、Ｓ１＞Ｓ２、Ｓ１＞Ｓ３である。第１期間及び第２期間は、図３の（ａ）に従って示されている。
【００５５】
このような動作によれば、動作例１と同等の効果が得られる。さらに、目的調光レベルを、第１期間と第２期間とで異なる応答スピードＳ２、Ｓ３で調光レベルに追従させるので、制御の自由度が向上する。これにより、電力喪失時及び電力回復時のそれぞれの調光信号の特性に適応して、所望外の光出力を低減する制御が可能になる。
【００５６】
なお、第１期間の応答スピードＳ２は第２期間の応答スピードＳ３よりも速くても遅くてもよく、電力喪失時及び電力回復時のそれぞれの調光信号の特性に応じて所望外の光出力が低減されるように、適宜変形が可能である。
【００５７】
（動作例３）
前述した動作例１、２では、最初の電源ＯＮ検出後、目的調光レベルは、調光信号で示される１００％の調光レベルから開始している。この動作は、例えば、長時間の電源ＯＦＦなどのために、マイコン５６内で直前の目的調光レベルの記憶が失われている状況での動作を想定している。この動作では、図４、５に示されるように、最初の電源ＯＮ後に生じる所望外の光出力が低減されない。
【００５８】
そこで、動作例３では、目的調光レベルを、電源ＯＮ検出時に所定の値（初期値）から開始して、調光信号で示される調光レベルの変化に追従させる。前記初期値は、例えば、調光レベルの下限である２％としてもよい。これにより、電源ＯＮ時に光出力が調光レベルの下限から徐々に上昇していくフェードイン動作が行われる。
【００５９】
図６のように、例えば、定常点灯時に応答スピードＳ１を選択し、電源ＯＮ検出後の第１期間に応答スピードＳ２を選択し、電源ＯＦＦ検出後の第２期間に応答スピードＳ３を選択する。応答スピードＳ２、Ｓ３は、何れも応答スピードＳ１よりも遅い、つまり、Ｓ１＞Ｓ２、Ｓ１＞Ｓ３である。第１期間及び第２期間は、図３の（ａ）に従って示されている。また、電源ＯＮ検出時、調光信号で示される調光レベルとは無関係に、目的調光レベルを初期値（例えば２％）に設定する。
【００６０】
このような動作によれば、動作例１、２と同等の効果が得られる。さらに、電源ＯＮ検出時には、光出力が強制的に初期値（例えば２％）から開始されるので、最初の電源ＯＮ後に生じる所望外の光出力が低減される。
【００６１】
なお、電源ＯＮ検出時に、マイコン５６内で直前の目的調光レベルの記憶が失われている場合に限って、目的調光レベルを初期値に設定してもよい。例えば、図６に示されている２回目の電源ＯＮ検出では、目的調光レベルの初期値設定を省略してもよい。
【００６２】
（動作例４）
動作例４では、電源ＯＦＦ検出後の第２期間において、調光信号で示される調光レベルに応じて、目的調光レベルの調光レベルへの応答スピードを、定常点灯時のままとするか、より遅くするかを選択する。
【００６３】
例えば、前記第２期間に、前記調光信号で示される前記調光レベルが所定値以上である場合、固体発光素子７０を、定常点灯時の応答スピードよりも遅い応答スピードで前記調光レベルの変化に追従する目的調光レベルに調光する。また、前記調光信号で示される前記調光レベルが前記所定値未満である場合、固体発光素子７０を、定常点灯時の応答スピードで前記調光レベルの変化に追従する目的調光レベルに調光する。
【００６４】
そのために、前記第２期間において、調光信号で表される調光レベルと前記所定値とを比較し、比較結果に応じて、応答スピードを定常点灯時の応答スピードＳ１よりも遅い応答スピードＳ２に切り替えるか、又は応答スピードを定常点灯時の応答スピードＳ１に維持する。このような比較と応答スピードの切り替えは、マイコン５６が、予め保持しているプログラムを実行することによって行う。
【００６５】
前述の動作は、例えば前記所定値が１００％であり、かつ図１０に示されるように調光信号の５％のＯＮ  Ｄｕｔｙが１００％の調光レベルを表す場合、次のように書き換えられる。すなわち、前記第２期間において、調光信号のＯＮ  Ｄｕｔｙが５％よりも大きい場合に、応答スピードＳ１を選択し、調光信号のＯＮ  Ｄｕｔｙが５％以下の場合に、応答スピードＳ１よりも遅い応答スピードＳ２を選択する。
【００６６】
図７及び図８のように、例えば、定常点灯時に応答スピードＳ１を選択し、電源ＯＮ検出後の第１期間に応答スピードＳ２を選択する。電源ＯＦＦ検出後の第２期間には、調光信号で表される調光レベルと所定値との比較結果に応じて、応答スピードＳ１又はＳ２を選択する。応答スピードＳ２は、応答スピードＳ１よりも遅い、つまり、Ｓ１＞Ｓ２である。第１期間及び第２期間は、図３の（ａ）に従って示されている。
【００６７】
前記第２期間においては、調光信号のＯＮ  Ｄｕｔｙが５％よりも大きい場合、すなわち、調光信号で示される調光レベルが１００％未満である場合は、定常点灯時の応答スピードＳ１を維持し（図７）、調光信号のＯＮ  Ｄｕｔｙが５％以下（電源喪失による調光信号の途絶を含む）である場合に限って、応答スピードＳ１よりも遅い応答スピードＳ２に切り替える（図８）。
【００６８】
したがって、瞬停・瞬降時に、調光信号で示される調光レベルが所望外の光出力を誘発するような高い調光レベルでない場合、目的調光レベルは、定常点灯時と同じ応答スピードＳ１で調光レベルの変化に追従する。これにより、電源ＯＮ、電源ＯＦＦ時に発生する所望外の光出力を低減でき、かつ定常点灯時に操作感を損なうことがない点灯装置が得られる。
【００６９】
以上、本発明に係る点灯装置について、実施の形態に基づいて説明したが、本発明は、これらの実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【００７０】
例えば、点灯装置８５と、点灯装置８５にて調光される固体発光素子７０とで、照明器具９０を構成してもよい。
【００７１】
このように構成される照明器具９０によれば、電源ＯＮ、電源ＯＦＦ時に発生する所望外の光出力を低減でき、かつ定常点灯時に操作感を損なうことがない照明器具が得られる。
【００７２】
また、照明器具９０と、調光信号発生装置６０とで、照明システム１００を構成してもよい。
【００７３】
このように構成される照明システム１００によれば、電源ＯＮ、電源ＯＦＦ時に発生する所望外の光出力を低減でき、かつ定常点灯時に操作感を損なうことがない照明システムが得られる。
【産業上の利用可能性】
【００７４】
本発明は、発光ダイオード及び有機ＥＬ素子等の固体発光素子を点灯させる点灯装置及びそれを用いた照明器具、照明システムとして利用できる。
【符号の説明】
【００７５】
１０    直流電源
１１    交流電源
１２    入力フィルタ
１３    整流回路
２０    点灯回路
２１    昇圧チョッパー回路
２２    降圧チョッパー回路
４０    電源検出回路
５０、５５    制御回路
５１    昇圧制御回路
５２    調光信号変換回路
５４    降圧制御回路
５６    マイコン
５７    応答スピード調整論理
６０    調光信号発生装置
７０    固体発光素子
８０、８５    点灯装置
９０    照明器具
１００    照明システム
【図１】
2014137865.tif 000003
【図２】
2014137865.tif 000004
【図３】
2014137865.tif 000005
【図４】
2014137865.tif 000006
【図５】
2014137865.tif 000007
【図６】
2014137865.tif 000008
【図７】
2014137865.tif 000009
【図８】
2014137865.tif 000010
【図９】
2014137865.tif 000011
【図１０】
2014137865.tif 000012
【図１１】
2014137865.tif 000013
【図１２】
2014137865.tif 000014
【図１３】
2014137865.tif 000015